(57)【要約】【課題】径が異なるサイズの筒体に粘着テープを巻回した粘着テープコイルにも使用可能で、粘着テープコイルから余分な長さの粘着テープを引出す事のない粘着テープ貼着カッターを提供する。【解決手段】粘着テープコイル２を粘着テープ引出側Ａへ押圧しながら回動可能に支持する粘着テープコイル収納ケース１に構成すると共に、該収納ケース１の粘着テープ貼着摺動面６に出入自在な粘着テープガイド突出片１３とテープカッター１２を備えた屈伸自在駆動の粘着テープ切断アーム部材１１を設けて構成する。【選択図】図１
2005179053.tif 000002
【特許請求の範囲】
【請求項１】
粘着テープをロール状に巻回した粘着テープコイルを粘着テープ引出側へ押圧しながら回動可能に支持する粘着テープコイル収納ケースの粘着テープ引出側には粘着テープ貼着摺動面を設けると共に、該粘着テープ貼着摺動面の粘着テープ引出側から摺動方向に粘着テープ圧着用ローラーと引出粘着テープ挿通間隙を介して引出粘着テープ誘導板を架設し、さらに粘着テープ引出側の側面側には上端側を枢動自在に支持しかつ他側の先端部に粘着テープ圧着用ローラー上に引出した粘着テープを両側から挟み込む粘着テープガイド突出片を備えたテープカッターを固定した屈伸自在駆動の粘着テープ切断アーム部材を前記粘着テープ貼着摺動面から出没自在に設けて構成した事を特徴とする粘着テープ貼着カッター。
【発明の詳細な説明】
【技術分野】
【０００１】  本発明は、事務用粘着ビニールテープ、梱包用粘着紙テープ、梱包粘着布テープなど各種の粘着テープを被貼着部に貼着した後、所定の個所で切断する粘着テープの貼着カッターに関するものである。
【背景技術】
【０００２】  従来から使用される粘着テープカッターは、粘着テープをロール状に巻回した粘着テープコイルから必要な長さの粘着テープにカッターで切り離した後手作業で貼着する。簡単な貼着作業であるが、粘着テープを長く切り過ぎたり短く切り損じたり、如何なる方法でも手が粘着面に触れるため粘着テープに指紋を付けたりまたその部分の粘着力が弱くなるなど、改善すべき問題が多くあった。この事から、これらの問題を解消する粘着テープカッターが、多くの特許公報で紹介されている。例えば実開平１−７５０６１号公報には「本体器具に備えられた回転自在な筒体に嵌め込んだ粘着テープロールから引出されるテープを、プッシュ受けで押し下げながら被接着部に貼着した後、別のプッシュ受けを押し下げてカッター刃を押し出しテープカットする構造の粘着テープ貼付け器具」、特開平２−２８２１６４号公報には「テープホルダーに取付けられた粘着テープロールから引出されスリットを通ったテープを、接着ローラーで押付けながら被接着部に貼着し、傾斜して固定された切断刃で切断する接着テープ粘着切断器」がある。また最近の特許公報には、特開２００２−１８７７０号公報に「粘着テープを回転自在に装着する内筒と外筒からなる収納部と引出された粘着テープを切断するカッターと、カッターの取付面と同一面に粘着テープの両側から挟み込む柔軟材料の仮着部材を設けたテープカッター」、特開２００２−１５４７３６号公報に「巻装テープを回転自在に支持する軸状のリール部材から剥離される引出テープと、テープ挿通切欠を通る引出テープを先端部に設けた固定刃で切断するプレートと、テープ挿通切欠を通った引出テープの粘着係止部や待機位置などを確保する上向きに開口するループ用切断ユニットを設けて構成されたテープカッター」など、多くの種類の粘着テープカッターが紹介されている。
【特許文献１】実開平１−７５０６１号公報
【特許文献２】特開平２−２８２１６４号公報
【特許文献３】特開２００２−１８７７０号公報
【特許文献４】特開２００２−１５４７３６号公報
【発明の開示】
【発明が解決しようとする課題】
【０００３】  上記したいずれの粘着テープカッターも、引出テープの先端部が切断刃の直近位置で確実に保持されるため、後続する貼着作業時に引出テープを貼着開始位置から正確に貼着できる利点がある。また粘着テープの先端部を被接着部に押し当てながら引き動かす事で、容易に貼着できる。しかも粘着テープを引出し、貼着し、切断する一連の動作が片手で簡単にできるので、手間も時間もかからない特長がある。しかしながら、これまでの粘着テープカッターは、上記したいずれの公報も、粘着テープをロール状に巻回した粘着テープコイルを本体に設けた回転自在な筒体、テープホルダー、内筒と外筒からなる収納部材あるいは軸状のリール部材などに一定大きさの内径をもつ粘着テープコイルを嵌め込む構造の粘着テープカッターであるために、径が異なるサイズの筒体などに粘着テープを巻回した粘着テープコイルには使用できない問題があった。また粘着テープコイルを装着した回転自在な筒体やテープホルダーなどを必要以上に回転過ぎたり引出過ぎたりすると、接着テープコイルの収納器内で余分に引出した接着テープで弛みを生じ、速やかな貼着動作が行えない問題があった。【０００４】  本発明は、今日まで創作された粘着テープカッターの利点を損なう事なく、上記した問題点を解消した粘着テープ貼着カッターを提供する事を目的としたものである。
【課題を解決するための手段】
【０００５】  本発明は上記した目的を達成したもので、その要旨は、粘着テープをロール状に巻回した粘着テープコイルを粘着テープ引出側へ押圧しながら回転可能に支持する粘着テープコイル収納ケースの粘着テープ引出側には粘着テープ貼着摺動面を設けると共に、該粘着テープ貼着摺動面の粘着テープ引出側から摺動方向に粘着テープ圧着用ローラーと引出粘着テープ挿通間隙を介して引出粘着テープ誘導板を架設し、さらに粘着テープ引出側の側面には上端側を枢動自在に支持しかつ下端側の先端部に粘着テープ圧着用ローラー上に引出された粘着テープを両側から挟み込む粘着テープガイド突出片を備えたテープカッターを固定した屈伸自在駆動の貼着テープ切断用アーム部材を前記粘着テープ貼着摺動面から出没自在に設けて構成した粘着テープ貼着カッターである。
【発明の効果】
【０００６】  本発明の粘着テープ貼着カッターは、粘着テープをロール状に巻回した粘着テープコイルを接着テープ引出側に押圧しながら回転可能に収納しかつ支持するため、必要長さ以上の接着テープを引出す事もなく、引出された接着テープに弛みを生じる事もなく、しかも半径が異なる如何なる大きさの筒体やテープホルダーなどに適用できるなど、多くの利点がある。また従来の粘着テープカッターが持つ特長を損なう事もない。
【発明を実施するための最良の形態】
【０００７】  以下、本発明の粘着テープ貼着カッターについて、図面を参照しながら、詳細に説明する。図面は本発明の一実施例を示したもので、図１は粘着テープ貼着状態時の内部構造を透視斜視図で示す。図１において、１は粘着テープコイル収納ケースである。本発明における粘着テープコイル収納ケース１のケース構造は、２枚の板を間隔部材を介してボックス状に成形したり、一枚の板を折り曲げてボックス状に成形するなど如何なる手段を使用して成形加工してもよく、形状や大きさも同様に特に限定するものでない。２は、紙や合成樹脂などの軽量円筒芯部材に、長尺粘着テープをロール状に幾重も巻回した粘着テープコイルである。３は支持体で、粘着テープコイル収納ケース１に装入された粘着テープコイル２を回動し易く支持するものであって、ロールや円弧断面部材などが使用される。また支持体３は、本発明の構造体において、粘着テープコイル収納ケース１の形状性を維持する効果もある。４は、片押し部材である。片押し部材４は、一側を粘着テープコイル収納ケース１の上方側に枢着し他側を上下に開閉自在に設けかつ内部に粘着テープコイル収納ケース１に係合するコイルバネ５を設けて該粘着テープコイル収納ケース内を出没自在に構成したもので、粘着テープコイル収納ケース１に収納された粘着テープコイル２を粘着テープ引出側方向Ａへ軽く押圧する部材である。本発明においては、片押し部材４の粘着テープ引出側方向の押圧力と上方へ離脱枢動させる手動力は、コイルバネ５の保有する伸縮力を選択する事によって、加減調整する。また片押し部材４は、粘着テープコイル収納ケース１から収納された粘着テープコイル２の脱落防止蓋でもある。すなわち、本発明において、粘着テープコイル収納ケース１は、粘着テープコイル２を、片押し部材４によって粘着テープ引出側Ａへ軽圧しながら、回動する構造に設けられている。さらに粘着テープコイル収納ケース１の粘着テープ引出側Ａには、粘着テープ貼着摺動面６を設けると共に、該粘着テープ貼着摺動面６の粘着テープ引出し位置側から粘着テープ貼着方向に、粘着テープ圧着用ローラー７と引出粘着テープの挿通間隙８を介して引出粘着テープ誘導板９が架設されている。すなわち、粘着テープコイル２を回動しながら引出された粘着テープは、引出粘着テープ挿通間隙８を通り抜けた後、粘着テープ圧着用ローラー７で被接着部材１０に貼着する構造に設けられている。【０００８】  １１は貼着テープ切断用アーム部材である。貼着テープ切断用アーム部材１１は、該貼着テープ切断用アーム部材１１を伸長した際の状態を図２に図１の一部を拡大して斜視図で示す様に、粘着テープコイル２から粘着テープ圧着用ローラー７上に引出され被接着部材１０に接着された貼着テープを切断するテープカッター１２を先端部に固定すると共に該テープカッター１２を両端部から保護しつつ粘着テープ貼着方向へ長くかつ粘着テープの両側を挟み込んで前記した粘着テープ貼着摺動面６よりも突出して粘着テープの切断側先端部分の折れ曲がり防止と不要な他部材の貼着を防止する粘着テープガイド突出片１３を両側に備えた切断用接続アーム部材１４を、継ぎ手用の連結アーム部材１５を介して粘着テープコイル収納ケース��の粘着テープ引出側の側面側上方部で枢動可能に設け、さらに粘着テープコイル収納ケース１と切断用アーム部材１４との間をコイルバネ１６で接続する一連の構造体に構成されている。１７および１８は枢軸で、接続する部材間を枢動可能に設けるものである。すなわち、貼着テープ切断用アーム部材１１は、切断用アーム部材１４と連結アーム部材１５とを枢軸１７で長手方向に繋ぎ合わせて屈折しかつ伸長可能に設け、さらに連結アーム部材１５の他端部と粘着テープコイル収納ケース１を枢軸１８で接続し、さらには粘着テープコイル収納ケース１と切断用アーム部材１４を接続するコイルバネ１６の伸縮作用を利用する構造にする事によって、屈曲時は図１で示す様に後退しまた伸長時は図２示す様に前進する屈伸進退運動で、前記粘着テープ貼着摺動面６から出没自在に駆動する。つまり、本発明は、粘着テープの接着作業の中で、この運動を利用し、貼着された引出粘着テープを切断しようとするものである。
尚、本発明において、粘着テープから貼着テープを切り離すテープカッター１２の切断性を一層高めたい場合は、伸長した貼着テープ切断用アーム部材１１すなわち枢軸１７で接続する切断用アーム部材１４と連結アーム部材１５を粘着テープコイル２側へやや反る様な軽度の湾曲伸長形状に枢着構造に製作する事が好ましい。また本発明の図面において、連結アーム部材１５に２条の部材を使用しまた切断用アーム部材１４に溝型断面形状の加工部材を使用した貼着テープ  切断用アーム部材１１の一実施例を示したが、より堅牢な構造体を好む場合は、連結アーム部材１５にも溝型断面形状の加工部材を使用してもよい。【０００９】  上記の様な構造に構成された本発明の粘着テープ貼着カッターは、粘着テープコイル収納ケース１に装入され片押し部材４によって粘着テープ引出側方向Ａへ軽く押圧された粘着テープコイル２を、引出粘着テープ挿通間隙８を通って、粘着テープ圧着用ローラー７の位置まで引出し、貼着準備が完了する。
さらに貼着する場合は、粘着テープ貼着カッターの粘着テープ貼着摺動面６で被接着部材１０の接着面を押さえ付ける様に傾倒すると、粘着テープ貼着摺動面６から突出していた粘着テープガイド突出片１３が押し込まれ、貼着テープ切断用アーム部材１１が屈曲しながら後退し、代わってテープカッター１２が粘着テープ圧着用ローラー７に接近し待機する。この状態を保ったまま、粘着テープ貼着カッターの粘着テープ貼着摺動面６を接着方向へ引く様に移動させると、その移動に追従して粘着テープコイル２から粘着テープを引出しながら、被接着部材１０の接着面に貼着する。尚、粘着テープ貼着摺動面６において、粘着テープ貼着カッターを傾倒する場合に、貼着テープ切断用アーム部材１１を円滑に屈曲させ後退させるには、粘着テープガイド突出片１３の先端部すなわち傾倒回転支点側を、図１および図２で示す様に、円弧状に加工する事が好ましい。
貼着を終えた粘着テープ貼着カッターは、さらに貼着テープ側を持上げながら貼着テープ切断用アーム部材１１を粘着テープコイル収納ケース１に押し込めば、伸長する該貼着テープ切断用アーム部材１１の先端部に取付けられたテープカッター１２と粘着テープガイド突出片１３が飛び出す様に前進し、テープカッター１２が粘着テープガイド突出片１３に挟み込まれた引出粘着テープを切断し、貼着テープを切り離し、粘着テープの貼着作業を完了する。このとき貼着テープを切り離し、粘着テープ圧着用ローラー７に接近して待機する粘着テープの先端部は、粘着テープガイド突出片１３によって、他部材に貼着する事なく何時でも貼着できる状態を維持し、しかもテープカッター１２まで安全カバーを講じながら、次の貼着作業まで待機する。
【産業上の利用可能性】
【００１０】  本発明の粘着テープ貼着カッターは一般の事務業務、輸送の梱包業務など各種の業務分野において広く多用され、その価値は従来の粘着テープ貼着カッター以上に高い。
【図面の簡単な説明】
【００１１】
【図１】本発明の一実施例を示したもので、粘着テープ貼着状態時の内部構造を透視斜視図で示す。
【図２】本発明における貼着テープ切断用アーム部材を拡大斜視図で示す。
【符号の説明】
１    粘着テープコイル収納ケース
２    粘着テープコイル
３    支持体
４    片押し部材
５    コイルバネ
６    粘着テープ貼着摺動面
７    粘着テープ圧着用ローラー
８    引出粘着テープ挿通間隙
９    引出粘着テープ誘導板
１０  被接着部材
１１  貼着テープ切断用アーム部材
１２  テープカッター
１３  粘着テープガイド突出片
１４  切断用アーム部材
１５  連結アーム部材
１６  コイルバネ
１７  枢軸
１８  枢軸
Ａ    粘着テープ引出方向
【図１】
2005179053.tif 000003
【図２】
2005179053.tif 000004